【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
プロセス制御プラント中のビッグデータをサポートするためのシステムであって、
１つ以上のデータ記憶装置を含む統一論理データ記憶領域であって、前記１つ以上のデータ記憶装置は、前記プロセス制御プラントまたは前記プロセス制御プラントにおいて制御されるプロセスのうち少なくとも１つへ対応するデータを共通フォーマットを用いて保存するように構成され、前記データは、複数の種類のデータと、構成データ、連続データおよび前記プロセスに対応するイベントデータを含む１組の種類のデータとを含む、統一論理データ記憶領域と、
前記データを１つ以上の他のデバイスから受信することと、前記データを前記統一論理データ記憶領域中に保存させることとを行うように構成された１つ以上のデータ受信器コンピューティングデバイスと、
を含む、システム。
【請求項２】
前記データは時系列データを含む、請求項１に記載のシステム。
【請求項３】
前記統一論理データ記憶領域中に保存された前記時系列データのデータエントリは内容および時間スタンプを含み、前記時間スタンプは、前記データエントリの内容が生成された時間を示す、請求項２に記載のシステム。
【請求項４】
前記１つ以上の他のデバイスは、
前記プロセス制御プラントにおけるプロセスを制御するように通信可能に接続されたフィールドデバイスおよびコントローラ、
を含む、請求項１〜３のいずれか１項に記載のシステム。
【請求項５】
前記１つ以上の他のデバイスは、
ユーザインターフェースデバイスまたはネットワーク管理デバイスのうち少なくとも１つ、
を含む、請求項４に記載のシステム。
【請求項６】
前記データのうち少なくとも一部は、前記１つ以上の他のデバイスのうち少なくとも１つによってホストされるストリーミングサービスを用いてストリーミングされ、前記統一論理データ記憶領域または前記１つ以上のデータ受信器コンピューティングデバイスのうち少なくとも１つは、前記ストリーミングサービスの加入者である、
請求項１〜５のいずれか１項に記載のシステム。
【請求項７】
前記統一論理データ記憶領域は、前記データに対応するメタデータを保存するようにさらに構成される、請求項１〜６のいずれか１項に記載のシステム。
【請求項８】
前記データは、共通構造化フォーマットを用いて保存され、前記メタデータは、非構造化フォーマットを用いて保存される、請求項７に記載のシステム。
【請求項９】
前記システムは、前記統一論理データ記憶領域中に保存されたデータのうち少なくとも一部を用いて１つ以上のサービスを行うように構成された１組のリクエストサービサーコンピューティングデバイスをさらに含み、前記１つ以上のサービスは、計算分析を含む、 請求項１〜８のいずれか１項に記載のシステム。
【請求項１０】
前記リクエストサービサーコンピューティングデバイスのうち少なくとも１つは、
前記計算分析の実行に基づいて、前記プロセス制御プラント内に含まれる構成されたエンティティへの変更を決定することと、
（ｉ）前記決定された変更をユーザインターフェースにおいて提示すること、（ｉｉ）前記変更を前記構成されたエンティティへ自動的に適用すること、のうち少なくとも１つと、
を行うようにさらに構成される、請求項９に記載のシステム。
【請求項１１】
前記１つ以上のサービスは、前記プロセス制御プラントの実行時間環境においてインスタンス化することが可能な１組のエンティティに対応する１組の定義を生成するサービスをさらに含み、
前記１組のエンティティは、構成可能なデバイス、診断アプリケーション、表示ビューアプリケーション、制御モデルまたは制御アプリケーションのうち少なくとも１つを含む、
請求項９または１０に記載のシステム。
【請求項１２】
前記１組の定義は、前記プロセス制御プラントのオフライン環境において生成され、
前記システムは１組のスクリプトをさらに含み、
前記１組のスクリプトは、前記１組の定義に含まれる少なくとも１つの定義を変換し、前記変換された少なくとも１つの定義を前記プロセス制御プラントの実行時間環境中にロードする、請求項１１に記載のシステム。
【請求項１３】
前記少なくとも１つの定義は、ユーザ入力に応答して前記オフライン環境内において生成される、請求項１２に記載のシステム。
【請求項１４】
前記少なくとも１つの定義は、前記オフライン環境において自動的に生成される、請求項１２に記載のシステム。
【請求項１５】
前記１つ以上のサービスのうち少なくとも１つはウェブサービスである、請求項９〜１４のいずれか１項に記載のシステム。
【請求項１６】
前記データは、
前記プロセス制御プラント内に含まれる機械の健康状態を示すデータと、
前記プロセス制御プラント内に含まれる特定の設備の一部の健康状態を示すデータと、
前記プロセス制御プラント内に含まれる特定のデバイスの健康状態を示すデータと、
前記プロセス制御プラントの安全性に関連するパラメータに対応するデータと、
のうち少なくとも１つをさらに含む、請求項１〜１５のいずれか１項に記載のシステム。
【請求項１７】
前記データは、
前記１つ以上の他のデバイスのうち１つにおいて入力されたユーザ入力を記述するデータ、
前記プロセス制御プラントの通信ネットワークを記述するデータであって、前記通信ネットワークの性能、リソースまたは構成のうち少なくとも１つを記述するデータを含む、データ、
前記プロセス制御プラントの外部のコンピューティングシステムから受信されたデータ、または
別のプロセス制御プラントから受信されたデータ、
のうち少なくとも１つをさらに含む、請求項１〜１６のいずれか１項に記載のシステム。
【請求項１８】
前記１つ以上のデータ記憶装置は、データバンク、ＲＡＩＤ記憶装置システム、クラウドデータ記憶装置システム、分散ファイルシステム、または他の大量データ記憶装置システムのうち少なくとも１つに設けられる、請求項１に記載のシステム。
【請求項１９】
プロセス制御プラント中のビッグデータをサポートする方法であって、
１つ以上のデータ受信器コンピューティングデバイスにおいて、前記プロセス制御プラントまたは前記プロセス制御プラントによって制御されるプロセスのうち少なくとも１つに対応するデータを受信することと、
前記受信されたデータを共通フォーマットを用いて統一論理データ記憶領域中に保存することであって、前記統一論理データ記憶領域は、共通フォーマットを用いて複数の種類のデータを保存するように構成された１つ以上のデータ記憶装置と、構成データ、連続データおよび前記プロセスに対応するイベントデータを含む１組の種類のデータとを含むこと、
を含む、方法。
【請求項２０】
前記データを受信することは、前記プロセス制御プラントに含まれる１つ以上の他のデバイスから前記データを受信することを含み、前記１つ以上の他のデバイスは、前記プロセスを制御するようにフィールドデバイスと通信可能な接続状態にあるコントローラを含む、請求項１９に記載の方法。
【請求項２１】
前記統一論理データ記憶領域中に保存されたデータのうち少なくとも一部を用いてサービスを行わせることをさらに含む、請求項１９または２０に記載の方法。
【請求項２２】
前記サービスを行わせることは、計算分析を行わせることを含む、請求項２１に記載の方法。
【請求項２３】
前記サービスを行わせることは、ユーザリクエストに応答して前記サービスを行わせることを含む、請求項２１または２２に記載の方法。
【請求項２４】
前記サービスを行わせることは、前記サービスを自動的に選択かつ実行させることを含む、請求項２１または２２に記載の方法。
【請求項２５】
前記統一論理データ記憶領域中に保存されたデータのうち少なくとも一部は第１の組のデータであり、前記方法は、前記第１の組のデータに対する前記サービスの実行に基づいて第２の組のデータを生成することをさらに含む、請求項２１〜２４のいずれか１項に記載の方法。
【請求項２６】
前記第２の組のデータを前記統一論理データ記憶領域中に保存することをさらに含む、請求項２５に記載の方法。
【請求項２７】
前記第２の組のデータは、表示コンポーネント定義、結合定義、プロセスモデル定義、データ定義、データ関係または別の計算分析の定義のうち少なくとも１つを含む、請求項２５または２６に記載の方法。
【請求項２８】
前記データを受信することは、前記データのうち少なくとも一部をストリーミングサービスを用いて受信することを含む、請求項１９〜２７のいずれか１項に記載の方法。
【請求項２９】
プロセス制御システムであって、
前記プロセス制御システムにおけるプロセスを制御するように構成されたコントローラと、
前記コントローラへ通信可能に接続されたフィールドデバイスであって、前記フィールドデバイスは、前記プロセス制御システム内のプロセスを制御するための物理的機能を行うように構成され、前記フィールドデバイスは、前記物理的機能に対応するリアルタイムデータの前記コントローラへの送信または前記物理的機能に対応する前記リアルタイムデータの前記コントローラからの受信を行うように構成される、フィールドデバイスと、
プロセス制御システムビッグデータ装置と、を含み、
前記プロセス制御システムビッグデータ装置は、
１つ以上のデータ記憶装置を含む統一論理データ記憶領域であって、前記１つ以上のデータ記憶装置は、前記リアルタイムデータおよび前記コントローラに対応する構成データを共通フォーマットを用いて保存するように構成される、統一論理データ記憶領域と、
前記リアルタイムデータを受信することと、前記受信されたデータを前記統一論理データ記憶領域中に保存させることとを行う１つ以上のデータ受信器コンピューティングデバイスと、
を含み、
前記コントローラは、プロセス制御システムビッグデータネットワークの第１のノードであり、前記プロセス制御システムビッグデータ装置は、前記プロセス制御システムビッグデータネットワークの第２のノードである、
プロセス制御システム。
【請求項３０】
前記プロセス制御システムビッグデータネットワークは第１の通信ネットワークであり、前記フィールドデバイスは、前記第１の通信ネットワークと異なる第２の通信ネットワークを介して前記コントローラへ通信可能に接続される、請求項２９に記載のプロセス制御システム。
【請求項３１】
前記プロセス制御システムビッグデータネットワークは１つ以上の他のノードをさらに含み、前記１つ以上の他のノードは、ユーザインターフェースデバイス、ゲートウェイデバイス、アクセスポイント、経路設定デバイス、ネットワーク管理デバイス、または前記コントローラまたは別のコントローラへ接続された入力／出力（Ｉ／Ｏ）カードのうち少なくとも１つを含む、請求項２９または３０に記載のプロセス制御システム。
【請求項３２】
前記コントローラは、前記リアルタイムデータをキャッシュするように構成され、前記リアルタイムデータの識別情報の表示は、前記コントローラに対応する前記構成データから排除される、請求項２９〜３１のいずれか１項に記載のプロセス制御システム。
【請求項３３】
プロセス制御システムビッグデータユーザインターフェースをさらに含み、前記プロセス制御システムビッグデータユーザインターフェースは、ユーザがユーザインターフェースデバイスを介して１組のユーザアクションの少なくとも１つのユーザアクションを行うことを可能にするように構成され、前記１組のユーザアクションは、
前記統一論理データ記憶領域中に保存された前記データのうち少なくとも一部を視認することと、
行われるべきサービスをリクエストすることであって、前記サービスは、前記統一論理データ記憶領域中に保存された前記データのうち少なくとも一部を要求することと、
前記サービスの性能の結果を視認することと、
前記プロセス制御システム内に含まれるエンティティを構成することと、
構成されたエンティティを前記プロセス制御システム中においてインスタンス化させることと、
さらなるサービスを構成すること、
を含み、
前記ユーザインターフェースデバイスは、前記プロセス制御システムビッグデータネットワークの第３のノードである、
請求項２９〜３２のいずれか１項に記載のプロセス制御システム。
【請求項３４】
前記プロセス制御システムビッグデータネットワークは、有線通信ネットワークまたは無線通信ネットワークのうち少なくとも１つを含む、請求項２９〜３３のいずれか１項に記載のプロセス制御システム。
【請求項３５】
前記プロセス制御システムビッグデータネットワークは、少なくとも部分的にアドホックネットワークである、請求項２９〜３４のいずれか１項に記載のプロセス制御システム。